(57)【要約】      （修正有）【課題】りん本体と、台石と、基台とを一連一体に組み立て自在に形成し、りん本体全体に塗装を施すことを可能とする墓地等の屋外に常備する仏りん装置を提供する。【解決手段】底部中心部に貫通孔を穿ってりん本体を形成し、前記りん本体とは別個の独立した部品として水抜き機能を有する直長の管軸を形成し、この管軸は頭部に環状鍔部を有し下端部外周にねじ山を螺設してなり、この管軸をりん本体の貫通孔に挿通すると共にりん本体の底裏にリングを介在させ、そして台石に設けた縦孔から基台に設けた縦孔部を介して基台の裏面側に設けた空間部へ挿通させて管軸の下端のねじ山にナットを螺着することによりりん本体と台石と基台とを一連一体に組み立て自在に構成する。【選択図】図７
0003151493.tif 000002
【実用新案登録請求の範囲】
【請求項１】
底部中心部に貫通孔を穿って形成したりん本体と、頭部に環状鍔部を有し下端部外周にねじ山を螺設してなる直長の管軸と、前記管軸のねじ山に螺合するためのナットと、前記管軸に挿着されてりん本体の底裏に当接するリングと、石材からなり上面から下面へ貫通する鉛直な縦孔を穿って形成した台石と、石材からなり前記台石の縦孔に重合する縦孔部とこの縦孔部の下方部を拡張しかつ下面を開放する空間部を設けて形成した基台とからなることを特徴とする仏りん装置。
【請求項２】
前記りん本体は、貫通孔に管軸を挿通すると共にりん本体の底裏にリングを介在させ、基台に載置した台石の縦孔から基台の縦孔部を介して基台の空間部へ貫通させて管軸の下端のねじ山にナットを螺着することによりりん本体と台石と基台とを一連一体に組み立ててなる請求項１記載の仏りん装置。
【請求項３】
前記りん本体は、貫通孔から所望間隔を置いた外周部分位置に少なくとも一つの小孔を設けてなる請求項１又は請求項２記載の仏りん装置。
【考案の詳細な説明】
【技術分野】
【０００１】
本考案は、墓地等の屋外に常備する仏りん装置に関するものである。
【背景技術】
【０００２】
仏様を拝んだり、仏様に経を読む際に使用する仏りんは、一般には、りん本体をりん座布団の上に直接載置されており、普通は屋内の仏壇に常備しているものである。そして、屋外の例えば、墓の前で仏事をする場合には、りん座布団の上に載せたりん本体とりん棒を手に持って墓前に集まってお経を唱えながらりん本体を鳴らしている。これとは別に、墓石とセットで屋外に常備するためのものとして、りん本体を台部材に固定設置してなる仏りん装置が提供されている。
【０００３】
前記墓石とセットで屋外に常備する仏りん装置の一つに、図８に示すように、椀状になるりん本体（イ）は、底部中心部に貫通孔（ロ）を穿ってこの貫通孔（ロ）に直長の管軸（ハ）をりん本体（イ）の下面に一体に突設形成してりん本体（イ）の内部を管軸（ハ）に導通させてなる仏りんが開示されている。
【０００４】
そして、この従来の仏りん装置は、石材からなる台石（ニ）には、上面から垂直な縦孔部（ホ）とこの縦孔部（ホ）の下方部を斜めに曲折傾斜させて台石（ニ）の側面へ傾斜貫通する水抜き孔（ヘ）を一連的に連通穿設すると共に前記縦孔部（ホ）に直長の取付筒（ト）を挿着設置し、この取付筒（ト）に前記りん本体（イ）の管軸（ハ）を圧入してりん本体（イ）を台石（ニ）に固定保持するように構成している。
【０００５】
しかしながら、この種従来仏りん装置において、銅製になるりんは、屋外に放置した状態で長年雨露に晒すことによる腐食から防護するために極薄の樹脂塗装を施し、若しくはメッキ塗装を施しているが、管軸（ハ）はりん本体（イ）に一体に突設形成する銅材になり、この管軸（ハ）が長軸であるために管軸の内筒にメッキ等の塗装を施すことが不可能であり、その結果、管軸（ハ）の塗装がされていない箇所でロクショが発生し、そして、りん本体（イ）の底部の貫通孔（（ロ）の周辺にロクショによる汚れを与えて、法事の道具である仏具としての仏りんに不清潔な印象を与えてしまう等の課題があった。
【０００６】
また、りん本体（イ）を装着する台石（ニ）は、基台（図示せず）の上に単に載置しているだけなので、墓地を駆け回る犬や猫などの小動物に蹴られてりん本体（イ）が台石（ニ）と共に基台から転げ落ちたり、更には、りん本体（イ）が台石（ニ）から抜け落ちてバラバラに散乱する等の課題があった。
【先行技術文献】
【特許文献】
【０００７】
【特許文献１】特開２００１−５７９３７
【考案の概要】
【考案が解決しようとする課題】
【０００８】
本考案は上記の課題に鑑みてなされたものであって、その目的とするところは、
水抜き機能と取付機能を有する管軸を、りん本体とは別個の独立した部品として形成し、この管軸を前記りん本体の底面に穿った貫通孔に挿通すると共にりん本体の底裏にリングを介在させ、そして台石の上面から下面に貫通する縦孔に挿通し、更に、基台の縦孔部を介して空間部まで貫通挿着し、管軸の頭部の環状鍔部と下部に螺合したナットにより，りん本体と、台石と、基台とを一連一体に組み立て自在に形成し、りん本体全体に塗装を施すことを可能とすると共に前記管軸は屋外に常備して雨露に晒しても腐食することのない耐食性を有するステンレス鋼から作成し、高価な銅材に比し安価であると共にりん本体の底面にロクショの発生を誘うことがなく、しかも、外部の力を受けて倒されても、りん本体と台石と基台とがばらばらになって散乱することなく、りん本体がガタツクこともなく、更には、りん本体の最良の音響を確保して、りん本体を台石と基台に一連一体にかつ堅固に組み立て設置し得るように形成した仏りん装置を提供することにある。  
【０００９】
また、りん本体には、中心の貫通孔の周囲に少なくとも１個の小孔を穿って、りん本体の底部に水分が残留することなく常に乾燥した状態を保てるようにするのが好ましい。
【課題を解決するための手段】
【００１０】
上記目的を達成するために、本考案に係る仏りん装置は、底部中心部に貫通孔を穿って形成したりん本体と、頭部に環状鍔部を有し下端部外周にねじ山を螺設してなる直長の管軸と、前記管軸のねじ山に螺合するためのナットと、前記管軸に挿着されてりん本体の底裏に当接するリングと、石材からなり上面から下面へ貫通する鉛直な縦孔を穿って形成した台石と、石材からなり前記台石の縦孔に重合する縦孔部とこの縦孔部の下方部を拡張しかつ下面を開放する空間部を設けて形成した基台とからなることを特徴とする。
【００１１】
前記りん本体は、貫通孔に管軸を挿通すると共にりん本体の底裏にリングを介在させ、基台に載置した台石の縦孔から基台の縦孔部を介して基台の空間部へ貫通させて管軸の下端のねじ山にナットを螺着することによりりん本体と台石と基台とを一連一体に組み立ててなる。
【００１２】
前記りん本体は、貫通孔から所望間隔を置いた外周部分位置に少なくとも一つの小孔を設けてなるのが好ましい。
【００１３】
前記リングは、ばね座金又はゴム製リングになるのが好ましい。
【考案の効果】
【００１４】
本考案の仏りん装置は、管軸をりん本体とは別個に作成することにより、りん本体全体の完全塗装が可能な形態となり、その結果、りん本体の底面にロクショが発生することがない。
前記管軸は、両端へ貫通して水抜き機能を有し、貫通孔の周辺に穿った小孔とにより、りん本体内部の水分を完全に排水してりん本体を良好な乾燥状態に保持する。
また、この管軸は、頭部に有する環状鍔部と下端に螺合するナットにより、りん本体を台石と基台とをガタツクことなく一連一体に堅固確実に組み立て固定維持する取付機能を有する。しかも、りん本体の底裏に当接するリングがナットの緩め止めの働きをすることによって一層安定した状態で組み立て維持する。その結果、小動物に蹴とばされて仏りんが台石から落下したり、台石や基台がばらばらになって散乱するようなことが防止できる。
更に、管軸に挿通されてりん本体の底裏に当接するリングは、りん本体の底裏面が台石の表面に直接接触することのなく所定の空間を保持して設置され、その結果、良好な音響を確保する。
そして、屋外装置品として、また、墓所の常備品として荘厳な印象を与える最適の仏りん装置を提供する等の効果を奏する。
【図面の簡単な説明】
【００１５】
【図１】本考案のりん本体を底面側から示す斜視図である。
【図２】本考案のりん本体の平面図である。
【図３】本考案の管軸の斜視図である。
【図４】本考案の台石の斜視図である。
【図５】本考案の基台を上面から示す斜視図である。
【図６】本考案の基台を下面から示す斜視図である。
【図７】本考案のりん本体を台石と基台に組み立て設置して示す縦断面図である。
【図８】従来のりん装置の縦断面図である。
【考案を実施するための形態】
【００１６】
本考案に係る仏りん装置は、底部中心部に貫通孔を穿って形成したりん本体と、頭部に環状鍔部を有し下端部外周にねじ山を螺設してなる直長の管軸と、前記管軸のねじ山に螺合するためのナットと、前記管軸に挿着されてりん本体の底裏に当接するリングと、石材からなり上面から下面へ貫通する鉛直な縦孔を穿って形成した台石と、石材からなり前記台石の縦孔に重合する縦孔部とこの縦孔部の下方部を拡張しかつ下面を開放する空間部を設けて形成した基台とからなり、前記管軸をりん本体の貫通孔に挿通すると共にりん本体の底裏にリングを介在させ、そして台石に設けた縦孔から基台に設けた縦孔部に挿通し、そして更に、前記台石を載置する基台の縦孔部を介して基台の裏面側に設けた空間部へ挿通させて管軸の下端のねじ山にナットを螺着することによりりん本体と台石と基台とを一連一体に組み立て自在に構成する。
【実施例１】
【００１７】
本考案の実施例１において、図１は本考案のりん本体を底面側から示す斜視図、図２はりん本体の平面図、図３は管軸の斜視図、図４は台石の斜視図、図５は基台の斜視図、図７はりん本体を台石と基台に組み立て設置して示す断面図で、椀状になるりん本体１は、底部中心部に貫通孔２を穿って形成し、該りん本体１の全体を完全に塗装できる形態に形成する。そして、前記りん本体１とは別個の独立した部品とした直長になる管軸３を形成し、この管軸３により前記りん本体１を台石４と基台５とに一連一体に組み立て自在に形成する。
【００１８】
前記管軸３は、両端へ貫通してりん本体１の内部の水分を抜き取る水抜き機能を有し、上端に環状鍔部６を有し下部外周にナット７を螺合するためのねじ山８を設けて取付機能を有して形成される。この管軸３は、耐蝕性を有するステンレス鋼により作成するのが好ましい。
【００１９】
前記台石５は石材からなり、平らな上面部９と下面部１０を有して上面部９から下面部１０へ貫通する鉛直な縦孔１１を穿設して形成される。
【００２０】
前記基台５は前記台石４を載置するもので、石材からなり、平らな上面部１２を有してこの上面部１２の傍らにりん棒（図示せず）を治める長溝１３を有し、上面部１２に前記台石４の縦孔１１と重合貫通する同径の縦孔部１４とこの縦孔部１４に導通する下方部を拡張しかつ下面を開放する空室部１５を穿設し、管軸３の下端に螺合するナット７が収まると共にナット７がくうし粒１５の上壁面１６に係止するように形成する。
【００２１】
前記りん本体１は、貫通孔２から僅かに離れた周辺に少なくとも１個の小孔１７を穿設する。そして、管軸３の環状鍔部６の外周縁の厚みの段差付近にせき止められて残留する水分が小孔１７から排水される。
【００２２】
前記管軸３には、りん本体１の底裏に当接するリング１４を挿着して、りん本体１の底裏が台石４の上面部９に直接接触しないようにするのが好ましい。このリング１８は、ナットの緩み止めの働きをするばね座金を用いるか、またはゴム製リングであるのが好ましい。
【００２３】
なお、１９は、基台５の空室部１５を外部へ導通する排水路を示す。
【００２４】
上記構成になる仏りん装置は、管軸３をりん本体１の貫通口２に挿入し、次いでリング１８を装着し、そして、この管軸３を台石４の縦孔１１から基台５の縦孔部１４を介して空室部１５まで挿入して管軸３の下部のねじ山８にナット７を螺合することにより、管軸３の環状鍔部６とナット７とでりん本体１を台石４と基台５とに一連一体に組み立てられる。特に、りん本体１の裏面に当接するリング１８がナットのゆるみ止めの働きをするのでりん本体１がぐらつき等を生じることなく堅固確実に台石５に固定設置する。そして、りん棒でりん本体１を打叩した際にもぐらつきを生じることがないので、共鳴音に影響を与えないし、りん本体１の底部は台石４の台面との間の空間ｄが共鳴音を良好にする。また、りん本体１の内部に受けた雨や露は、管軸３を流下して基台５の空室部１５の排水路１９から外部へ排水する。
更に、りん本体１の底部はもっとも振動の伝わり難い個所なので、底部中心部に穿った貫通孔２や、この貫通孔２に挿着された管軸３によって共鳴音が阻害されることがない。
なお更に、この実施例では、りん本体1の表面に、腐蝕を防ぐために、樹脂塗装を施したが、これに限定されることなく、例えば、メッキ塗装を施しても良いこと勿論である。また、管軸３はステンレス製であるから、この管軸３によってりん本体１にロクショやさびやを発生させることもない。
【符号の説明】
【００２５】
１      りん本体
２      貫通孔
３      管軸
４      台石
５      基台
６      環状鍔部
７      ナット
８      ねじ山
９      上面部
１０    下面部
１１    縦孔
１２    上面部
１３    長溝
１４    縦孔部
１５    空室部
１６    上壁面
１７    小孔
１８    リング
１９    排水路
【図１】
0003151493.tif 000003
【図２】
0003151493.tif 000004
【図３】
0003151493.tif 000005
【図４】
0003151493.tif 000006
【図５】
0003151493.tif 000007
【図６】
0003151493.tif 000008
【図７】
0003151493.tif 000009
【図８】
0003151493.tif 000010